(57)【要約】【課題】使用者が開封作業を不快に感じることを抑制できるパウチ、およびこのパウチを用いて製造される内容物封入パウチを提供する。【解決手段】パウチ１０は、袋本体部２０、第１側方シール部８１、第２側方シール部、第１ガイド線１１０、および第２ガイド線１２０を有する。袋本体部２０は、互いに対向する第１シートおよび第２シートを有する。第１側方シール部８１は、第１シートおよび第２シートの一方の側方縁をシールしている。第２側方シール部は、第１シートおよび第２シートの他方の側方縁をシールしている。第１ガイド線１１０は、第１シートに形成されている。第１ガイド線１１０は、第１側方シール部８１から内方向ＨＸ１に向かうにつれて上方向ＨＹ１に延伸する第１上方延伸部１１１Ａ（段差形成部）を有する。第２ガイド線１２０は、第２シートに形成されている。第２ガイド線１２０は、第１上方延伸部１１１Ａと異なる形状を有する。【選択図】図４
2014213857.tif 000002
【特許請求の範囲】
【請求項１】
袋本体部、第１側方シール部、第２側方シール部、第１ガイド線、および第２ガイド線を有するパウチであって、
前記袋本体部は、積層シートにより形成され、
前記積層シートは、第１面形成部および第２面形成部を有し、
前記第１面形成部と前記第２面形成部とは、互いに対向し、
前記第１側方シール部は、前記第１面形成部および前記第２面形成部の一方の側方縁をシールし、
前記第２側方シール部は、前記第１面形成部および前記第２面形成部の他方の側方縁をシールし、
前記第１ガイド線は、前記袋本体部を分離する構造を有し、前記第１面形成部に形成され、前記第１側方シール部から前記パウチの幅方向の内方向に向かうにつれて前記パウチの高さ方向の位置が変化する段差形成部を有し、
前記第２ガイド線は、前記袋本体部を分離する構造を有し、前記第２面形成部に形成され、前記段差形成部と異なる形状を有する
パウチ。
【請求項２】
前記第１ガイド線は、上方凸部および下方凸部を有し、
前記上方凸部は、前記段差形成部としての第１上方延伸部と、第１中継部と、第１下方延伸部とを有し、
前記第１上方延伸部は、前記第１中継部と連続して形成され、前記第１側方シール部から前記内方向に向かうにつれて前記高さ方向の上方向に延伸する形状を有し、
前記１中継部は、前記第１上方延伸部および前記第１下方延伸部と連続して形成され、延伸する方向が前記内方向に向かうにつれて前記高さ方向の前記上方向から下方向に変化する形状を含み、
前記第１下方延伸部は、前記第１中継部と連続して形成され、前記内方向に向かうにつれて前記下方向に延伸する形状を有し、
前記下方凸部は、第２下方延伸部、第２中継部、および第２上方延伸部を有し、
前記第２下方延伸部は、前記第２中継部と連続して形成され、前記内方向に向かうにつれて前記下方向に延伸する形状を有し、
前記２中継部は、前記第２下方延伸部および前記第２上方延伸部と連続して形成され、延伸する方向が前記内方向に向かうにつれて前記下方向から前記上方向に変化する形状を含み、
前記第２上方延伸部は、前記第２中継部と連続して形成され、前記内方向に向かうにつれて前記上方向に延伸する形状を有し、
前記第２ガイド線は、前記第１中継部よりも前記下方向かつ前記第２中継部よりも前記上方向に位置する部分を含む
請求項１に記載のパウチ。
【請求項３】
前記第１中継部と前記第１側方シール部の内縁との距離である中継部形成距離は、前記第１側方シール部のシール幅よりも短い
請求項２に記載のパウチ。
【請求項４】
前記第１ガイド線は、下方凸部および上方凸部を有し、
前記下方凸部は、前記段差形成部としての第１下方延伸部と、第１中継部と、第１上方延伸部とを有し、
前記第１下方延伸部は、前記第１中継部と連続して形成され、前記第１側方シール部から前記内方向に向かうにつれて前記高さ方向の下方向に延伸する形状を有し、
前記１中継部は、前記第１下方延伸部および前記第１上方延伸部と連続して形成され、延伸する方向が前記内方向に向かうにつれて前記高さ方向の前記下方向から上方向に変化する部分を含み、
前記第１上方延伸部は、前記第１中継部と連続して形成され、前記内方向に向かうにつれて前記上方向に延伸する形状を有し、
前記上方凸部は、第２上方延伸部、第２中継部、および第２下方延伸部を有し、
前記第２上方延伸部は、前記第２中継部と連続して形成され、前記内方向に向かうにつれて前記上方向に延伸する形状を有し、
前記２中継部は、前記第２上方延伸部および前記第２下方延伸部と連続して形成され、延伸する方向が前記内方向に向かうにつれて前記上方向から前記下方向に変化する形状を有し、
前記第２下方延伸部は、前記第２中継部と連続して形成され、前記内方向に向かうにつれて前記下方向に延伸する形状を有し、
前記第２ガイド線は、前記第１中継部よりも前記上方向かつ前記第２中継部よりも前記下方向に位置する部分を含む
請求項１に記載のパウチ。
【請求項５】
前記第１中継部と前記第１側方シール部の内縁との距離である中継部形成距離は、前記第１側方シール部のシール幅よりも短い
請求項４に記載のパウチ。
【請求項６】
前記第１ガイド線は、波型形状を有し、前記第１側方シール部から前記第２側方シール部まで形成され、
前記第２ガイド線は、前記第１ガイド線と位相が異なる波型形状を有する
請求項１〜５のいずれか一項に記載のパウチ。
【請求項７】
前記第１ガイド線は、前記第２ガイド線に対して１／５波長以上〜１／２波長以下の波長のずれを有する
請求項６に記載のパウチ。
【請求項８】
前記１面形成部の外面と前記第２面形成部の内面との色差、および前記第１面形成部の内面と前記第２面形成部の外面との色差の少なくとも一方は、目視により判別できる大きさを有する
請求項１〜７のいずれか一項に記載のパウチ。
【請求項９】
密封された請求項１〜８のいずれか一項に記載のパウチと、前記パウチに収容された内容物とを有する内容物封入パウチ。
【発明の詳細な説明】
【技術分野】
【０００１】
本発明は、袋本体部、シール部、およびガイド線を有するパウチ、およびこのパウチを用いて製造される内容物封入パウチに関する。
【背景技術】
【０００２】
特許文献１は、パウチの一例を開示している。
図１３および図１４は、特許文献１のパウチ９００を示している。
パウチ９００は、袋本体部９１０、シール部９２０、およびガイド線９３０を有する。
【０００３】
袋本体部９１０は、２枚の積層シートの縁を互いにシールすることにより形成されている。袋本体部９１０は、ガイド線９３０に沿って互いに分離する構造を有する。
シール部９２０は、袋本体部９１０の縁をシールしている。シール部９２０は、第１側方シール部９２１、第２側方シール部９２２、上方シール部９２３、および下方シール部９２４を有する。
【０００４】
第１側方シール部９２１は、袋本体部９１０の一方の側方縁をシールしている。第２側方シール部９２２は、袋本体部９１０の他方の側方縁をシールしている。上方シール部９２３は、袋本体部９１０の上縁をシールしている。下方シール部９２４は、袋本体部９１０の下縁をシールしている。
【０００５】
ガイド線９３０は、袋本体部９１０を分離する機能を有する。ガイド線９３０は、袋本体部９１０を形成している２枚の積層シートに切れ込みをいれることにより形成されている。ガイド線９３０は、第１ガイド線９３１および第２ガイド線９３２を有する。
【０００６】
第１ガイド線９３１は、袋本体部９１０の正面に形成されている。第１ガイド線９３１は、第１直線部９３１Ａ、上方湾曲部９３１Ｂ、および第２直線部９３１Ｃを有する。
第１直線部９３１Ａは、第１側方シール部９２１からパウチ９００の幅方向に延伸する形状を有する。上方湾曲部９３１Ｂは、第１直線部９３１Ａと連続して形成されている。上方湾曲部９３１Ｂは、パウチ９００の高さ方向の上方に窪む形状を有する。第２直線部９３１Ｃは、上方湾曲部９３１Ｂと連続して形成されている。第２直線部９３１Ｃは、パウチ９００の幅方向に延伸する形状を有する。
【０００７】
第２ガイド線９３２は、袋本体部９１０の背面に形成されている。第２ガイド線９３２は、第１直線部９３２Ａ、下方湾曲部９３２Ｂ、および第２直線部９３２Ｃを有する。
第１直線部９３２Ａは、第１側方シール部９２１からパウチ９００の幅方向に延伸する形状を有する。下方湾曲部９３２Ｂは、第１直線部９３２Ａと連続して形成されている。下方湾曲部９３２Ｂは、パウチ９００の高さ方向の下方に窪む形状を有する。第２直線部９３２Ｃは、下方湾曲部９３２Ｂと連続して形成されている。第２直線部９３２Ｃは、パウチ９００の幅方向に延伸する形状を有する。
【０００８】
パウチ９００は、第１ガイド線９３１および第２ガイド線９３２に沿って切り取られることにより、袋本体部９１０が分離する。これにより、図１４に示されるように、袋本体部９１０の幅方向の中央に２枚の積層シートの高さが互いに異なる段差部９１１が形成される。段差部９１１は、パウチ９００を開封するために使用者に把持される部分として機能する。
【先行技術文献】
【特許文献】
【０００９】
【特許文献１】特開２００５−２８９３９６号公報
【発明の概要】
【発明が解決しようとする課題】
【００１０】
パウチ９００は、一例として、電子レンジ等で加熱される。加熱後のパウチ９００は、第１側方シール部９２１および第２側方シール部９２２よりも袋本体部９１０の中央のほうが高温となりやすい。パウチ９００は、段差部９１１が袋本体部９１０の幅方向の中央に形成されている。このため、使用者は高温の段差部９１１を把持してパウチ９００を開封する。このため、使用者は、パウチ９００の開封作業を不快に感じるおそれがある。
【００１１】
本発明は、以上の背景をもとに創作されたものであり、使用者が開封作業を不快に感じることを抑制できるパウチ、およびこのパウチを用いて製造される内容物封入パウチを提供することを目的とする。
【課題を解決するための手段】
【００１２】
（１）本手段は、「袋本体部、第１側方シール部、第２側方シール部、第１ガイド線、および第２ガイド線を有するパウチであって、前記袋本体部は、積層シートにより形成され、前記積層シートは、第１面形成部および第２面形成部を有し、前記第１面形成部と前記第２面形成部とは、互いに対向し、前記第１側方シール部は、前記第１面形成部および前記第２面形成部の一方の側方縁をシールし、前記第２側方シール部は、前記第１面形成部および前記第２面形成部の他方の側方縁をシールし、前記第１ガイド線は、前記袋本体部を分離する構造を有し、前記第１面形成部に形成され、前記第１側方シール部から前記パウチの幅方向の内方向に向かうにつれて前記パウチの高さ方向の位置が変化する段差形成部を有し、前記第２ガイド線は、前記袋本体部を分離する構造を有し、前記第２面形成部に形成され、前記段差形成部と異なる形状を有するパウチ」を含む。
【００１３】
上記パウチは、第１ガイド線および第２ガイド線を有する。第１ガイド線は、袋本体部を分離する構造を有する。第１ガイド線は、第１面形成部に形成されている。第１ガイド線は、第１側方シール部からパウチの幅方向の内方向に向かうにつれてパウチの高さ方向の位置が変化する段差形成部を有する。
【００１４】
第２ガイド線は、袋本体部を分離する構造を有する。第２ガイド線は、第２面形成部に形成されている。第２ガイド線は、段差形成部と異なる形状を有する。
パウチは、一例として、内容物が封入された状態で加熱される。加熱されたパウチの温度は、パウチの幅方向の中央よりも第１側方シール部の方が相対的に低い。上記パウチは、第１ガイド線および第２ガイド線に沿って袋本体部が分離されたとき、第１側方シール部からパウチの内方向の所定の範囲に第１シートと第２シートとの段差が形成される。このため、上記パウチは、パウチにおいて比較的温度が低い箇所に段差が形成される。このため、上記パウチは、使用者が開封作業を不快に感じることを抑制できる。
【００１５】
（２）上記手段の一形態は、「前記第１ガイド線は、上方凸部および下方凸部を有し、前記上方凸部は、前記段差形成部としての第１上方延伸部と、第１中継部と、第１下方延伸部とを有し、前記第１上方延伸部は、前記第１中継部と連続して形成され、前記第１側方シール部から前記内方向に向かうにつれて前記高さ方向の上方向に延伸する形状を有し、前記１中継部は、前記第１上方延伸部および前記第１下方延伸部と連続して形成され、延伸する方向が前記内方向に向かうにつれて前記高さ方向の前記上方向から下方向に変化する形状を含み、前記第１下方延伸部は、前記第１中継部と連続して形成され、前記内方向に向かうにつれて前記下方向に延伸する形状を有し、前記下方凸部は、第２下方延伸部、第２中継部、および第２上方延伸部を有し、前記第２下方延伸部は、前記第２中継部と連続して形成され、前記内方向に向かうにつれて前記下方向に延伸する形状を有し、前記２中継部は、前記第２下方延伸部および前記第２上方延伸部と連続して形成され、延伸する方向が前記内方向に向かうにつれて前記下方向から前記上方向に変化する形状を含み、前記第２上方延伸部は、前記第２中継部と連続して形成され、前記内方向に向かうにつれて前記上方向に延伸する形状を有し、前記第２ガイド線は、前記第１中継部よりも前記下方向かつ前記第２中継部よりも前記上方向に位置する部分を含むパウチ」を含む。
【００１６】
上記パウチの第１ガイド線は、上方凸部および下方凸部を有する。上方凸部は、第１中継部を有する。下方凸部は第２中継部を有する。上記パウチの第２ガイド線は、第１中継部よりも下方向かつ第２中継部よりも上方向に位置する部分を含む。このため、上記パウチは、第１ガイド線および第２ガイド線に沿って袋本体部が分離されたとき、第１面形成部と第２面形成部とが対向しない部分、すなわち、段差が上下にそれぞれ少なくとも１ヶ所ずつ形成される。このため、上記パウチは、より開封しやすくなる。
【００１７】
（３）上記手段の一形態は、「前記第１中継部と前記第１側方シール部の内縁との距離である中継部形成距離は、前記第１側方シール部のシール幅よりも短いパウチ」を含む。
上記パウチの中継部形成距離は、第１側方シール部のシール幅よりも短い。このため、上記パウチは、中継部形成距離が第１側方シール部のシール幅よりも長い構成のパウチと比較して、形成される段差の傾斜角度をより大きくすることができる。このため、上記パウチは、使用者がよりつまみやすい形状の段差を形成することができる。
【００１８】
（４）上記手段の一形態は、「前記第１ガイド線は、下方凸部および上方凸部を有し、前記下方凸部は、前記段差形成部としての第１下方延伸部と、第１中継部と、第１上方延伸部とを有し、前記第１下方延伸部は、前記第１中継部と連続して形成され、前記第１側方シール部から前記内方向に向かうにつれて前記高さ方向の下方向に延伸する形状を有し、前記１中継部は、前記第１下方延伸部および前記第１上方延伸部と連続して形成され、延伸する方向が前記内方向に向かうにつれて前記高さ方向の前記下方向から上方向に変化する部分を含み、前記第１上方延伸部は、前記第１中継部と連続して形成され、前記内方向に向かうにつれて前記上方向に延伸する形状を有し、前記上方凸部は、第２上方延伸部、第２中継部、および第２下方延伸部を有し、前記第２上方延伸部は、前記第２中継部と連続して形成され、前記内方向に向かうにつれて前記上方向に延伸する形状を有し、前記２中継部は、前記第２上方延伸部および前記第２下方延伸部と連続して形成され、延伸する方向が前記内方向に向かうにつれて前記上方向から前記下方向に変化する形状を有し、前記第２下方延伸部は、前記第２中継部と連続して形成され、前記内方向に向かうにつれて前記下方向に延伸する形状を有し、前記第２ガイド線は、前記第１中継部よりも前記上方向かつ前記第２中継部よりも前記下方向に位置する部分を含むパウチ」を含む。
【００１９】
上記パウチの第１ガイド線は、下方凸部および上方凸部を有する。下方凸部は、第１中継部を有する。上方凸部は第２中継部を有する。上記パウチの第２ガイド線は、第１中継部よりも上方向かつ第２中継部よりも下方向に位置する部分を含む。このため、上記パウチは、第１ガイド線および第２ガイド線に沿って袋本体部が分離されたとき、第１面形成部と第２面形成部とが対向しない部分、すなわち、段差が上下にそれぞれ少なくとも１ヶ所ずつ形成される。このため、上記パウチは、より開封しやすくなる。
【００２０】
（５）上記手段の一形態は、「前記第１中継部と前記第１側方シール部の内縁との距離である中継部形成距離は、前記第１側方シール部のシール幅よりも短いパウチ」を含む。
上記パウチの中継部形成距離は、第１側方シール部のシール幅よりも短い。このため、上記パウチは、中継部形成距離が第１側方シール部のシール幅よりも長い構成のパウチと比較して、形成される段差の傾斜角度をより大きくすることができる。このため、上記パウチは、使用者がよりつまみやすい形状の段差を形成することができる。
【００２１】
（６）上記手段の一形態は、「前記第１ガイド線は、波型形状を有し、前記第１側方シール部から前記第２側方シール部まで形成され、前記第２ガイド線は、前記第１ガイド線と位相が異なる波型形状を有するパウチ」を含む。
【００２２】
上記パウチの第１ガイド線は、波型形状を有する。第１ガイド線は、第１側方シール部から第２側方シール部まで形成されている。上記パウチの第２ガイド線は、第１ガイド線と位相が異なる波型形状を有する。このため、上記パウチは、袋本体部が第１ガイド線および第２ガイド線に沿って分離されたとき、第１側方シール部および第２側方シール部の近傍に段差が形成される。このため、上記パウチは、第１側方シール部の近傍および第２側方シール部の近傍いずれからも開封することができる。
【００２３】
（７）上記手段の一形態は、「前記第１ガイド線は、前記第２ガイド線に対して、１／５波長以上〜１／２波長以下の波長のずれを有するパウチ」を含む。
（８）上記手段の一形態は、「前記１面形成部の外面と前記第２面形成部の内面との色差、および前記第１面形成部の内面と前記第２面形成部の外面との色差の少なくとも一方は、目視により判別できる大きさを有するパウチ」を含む。
【００２４】
上記パウチの第１面形成部の外面と第２面形成部の内面との色差、および第１面形成部の内面と第２面形成部の外面との色差の少なくとも一方は、目視により判別できる大きさを有する。このため、上記パウチは、袋本体部がガイド線に沿って分離されたとき、形成された段差がより認識されやすくなる。
【００２５】
（９）上記手段の一形態は、「密封された上記のいずれか一つに記載のパウチと、前記パウチに収容された内容物とを有する内容物封入パウチ。」を含む。
【発明の効果】
【００２６】
本パウチおよび本内容物封入パウチは、使用者が開封作業を不快に感じることを抑制できる。
【図面の簡単な説明】
【００２７】
【図１】実施形態のパウチの正面図。
【図２】図１のＤ２−Ｄ２線において破断されたパウチの断面図。
【図３】実施形態のパウチが有する第１ガイド線および第２ガイド線に関する図であって、第１ガイド線、第２ガイド線、および周辺の正面図。
【図４】図３のＸ部分の拡大図。
【図５】実施形態の内容物封入パウチの正面図。
【図６】実施形態の内容物封入パウチの製造工程に関する図であり、（ａ）は第２開口部が開封された状態のパウチの正面図、（ｂ）は第２開口部に充填機のノズルが挿入された状態のパウチの正面図、（ｃ）は内部空間に内容物が充填された状態のパウチの正面図。
【図７】実施形態の内容物封入パウチの製造工程に関する図であり、（ａ）は第２開口部にシール加工が施される前のパウチの正面図、（ｂ）は第２開口部にシール加工が施されている最中のパウチの正面図、（ｃ）は第２開口部にシール加工が施された後のパウチの正面図。
【図８】実施形態の内容物封入パウチに関する図であり、第１ガイド線および第２ガイド線に沿って袋本体部が切り取られている最中のパウチの正面図。
【図９】第２実施形態のパウチが有する第１ガイド線および第２ガイド線に関する図であって、第１ガイド線、第２ガイド線、および周辺の正面図。
【図１０】第３実施形態のパウチが有する第１ガイド線および第２ガイド線に関する図であって、第１ガイド線、第２ガイド線、および周辺の正面図。
【図１１】第４実施形態のパウチが有する第１ガイド線および第２ガイド線に関する図であって、第１ガイド線、第２ガイド線、および周辺の正面図。
【図１２】第５実施形態のパウチが有する第１ガイド線および第２ガイド線に関する図であって、第１ガイド線、第２ガイド線、および周辺の正面図。
【図１３】従来のパウチの正面図。
【図１４】従来のパウチに関する図であって、第１ガイド線および第２ガイド線に沿って袋本体部が切り取られている最中のパウチの正面図。
【発明を実施するための形態】
【００２８】
（第１実施形態）
図１を参照して、パウチ１０の構成について説明する。なお、図１、および図３〜図８に示されるドットは、パウチ１０のシール部８０を示している。
【００２９】
パウチ１０は、幅方向ＨＸおよび高さ方向ＨＹを有する。
幅方向ＨＸは、パウチ１０の正面視において、外側および内側を規定する方向を示している。幅方向ＨＸは、高さ方向ＨＹと直交している。幅方向ＨＸは、内方向ＨＸ１および外方向ＨＸ２を有する。
【００３０】
内方向ＨＸ１は、幅方向ＨＸにおいて、外側から内側に向かう方向、すなわち、第１側方縁２５または第２側方縁２６から内部空間２９に向かう方向を示している。
外方向ＨＸ２は、幅方向ＨＸにおいて、内側から外側に向かう方向、すなわち、内部空間２９から第１側方縁２５または第２側方縁２６に向かう方向を示している。
【００３１】
高さ方向ＨＹは、パウチ１０の正面視において、上側および下側を規定する方向を示している。高さ方向ＨＹは、幅方向ＨＸと直交している。高さ方向ＨＹは、上方向ＨＹ１および下方向ＨＹ２を有する。
【００３２】
上方向ＨＹ１は、高さ方向ＨＹにおいて、下側から上側に向かう方向、すなわち、下縁２８から上縁２７に向かう方向を示している。
下方向ＨＹ２は、高さ方向ＨＹにおいて、上側から下側に向かう方向、すなわち、上縁２７から下縁２８に向かう方向を示している。
【００３３】
パウチ１０はスタンディングパウチとしての形態を有する。パウチ１０は、袋本体部２０、シール部８０、切断補助部９０、およびファスナー１３０を有する。パウチ１０は、第２開口部５４Ａが形成された部分を除く縁の全部がシールされている。
【００３４】
袋本体部２０は、第１角部２１、第２角部２２、第３角部２３、第４角部２４、第１側方縁２５、第２側方縁２６、上縁２７、下縁２８、および内部空間２９を有する。
第１側方縁２５は、袋本体部２０における第１角部２１から第３角部２３までの縁を形成している。第２側方縁２６は、袋本体部２０における第２角部２２から第４角部２４までの縁を形成している。上縁２７は、袋本体部２０において第１角部２１から第２角部２２までの縁を形成している。下縁２８は、袋本体部２０において第３角部２３から第４角部２４までの縁を形成している。
【００３５】
第１側方縁２５および上縁２７は、第１角部２１において互いに連続している。第１側方縁２５および下縁２８は、第３角部２３において互いに連続している。第２側方縁２６および上縁２７は、第２角部２２において互いに連続している。第２側方縁２６および下縁２８は、第４角部２４において互いに連続している。
【００３６】
袋本体部２０は、主袋部５０、副袋部６０、および底ガゼット７０を有する。
主袋部５０は、第１側方部５１、第２側方部５２、第１開口部５３、および突出部５４を有する。
【００３７】
第１側方部５１は、図中の二点鎖線で示している境界線ＬＡよりも内方向ＨＸ１の部分を示している。第２側方部５２は、第２側方縁２６を含む部分を示している。
第１開口部５３は、高さ方向ＨＹにおいて、上縁２７とファスナー１３０との間に形成されている。第１開口部５３は、袋本体部２０が主袋部５０と副袋部６０とに分離している状態において、内部空間２９から内容物を取り出す部分または内部空間２９に内容物を収容する部分としての機能を有する。
【００３８】
突出部５４は、第１側方部５１と連続して形成されている。突出部５４は、境界線ＬＡから外方向ＨＸ２に突出する形状を有する。突出部５４は、第２開口部５４Ａを有する。第２開口部５４Ａは、内部空間２９に内容物を充填する部分としての機能を有する。
【００３９】
副袋部６０は、主袋部５０と連続して形成されている。副袋部６０は、切断補助部９０の第１ガイド線１１０および第２ガイド線１２０に沿って切り取られることにより、主袋部５０と互いに分離する構造を有する。
【００４０】
底ガゼット７０は、主袋部５０を支持している。図中の二点鎖線ＬＢは、底ガゼット７０と主袋部５０との境界部分を示している。底ガゼット７０は、主袋部５０および副袋部６０を形成する２枚の積層シート（図２参照）とは別の積層シートが折り込まれることにより形成されている。
【００４１】
シール部８０は、袋本体部２０を形成する積層シートの最内層どうしが互いに熱溶着されることにより形成されている。シール部８０は、第１側方シール部８１、第２側方シール部８２、上方シール部８３、および下方シール部８４を有する。
【００４２】
第１側方シール部８１は、袋本体部２０のうち、第１側方縁２５から内方向ＨＸ１の所定の範囲をシールしている。第１側方シール部８１は、第１シール幅ＸＡを有する。第１側方シール部８１は、側方シール上部８１Ａおよび側方シール下部８１Ｂを有する。側方シール上部８１Ａおよび側方シール下部８１Ｂは、突出部５４により互いに分断されている。
【００４３】
側方シール上部８１Ａは、袋本体部２０のうち、第１角部２１から突出部５４までの範囲をシールしている。
側方シール下部８１Ｂは、第２開口部５４Ａにおいて、主袋部５０と底ガゼット７０との境界部分をシールしている。
【００４４】
第２側方シール部８２は、袋本体部２０のうち、第２側方縁２６から内方向ＨＸ１の所定の範囲をシールしている。第２側方シール部８２は、第２シール幅ＸＢを有する。
上方シール部８３は、袋本体部２０のうち、上縁２７から下方向ＨＹ２の所定の範囲をシールしている。上方シール部８３は、ファスナー１３０を密封している。下方シール部８４は、袋本体部２０のうち、下縁２８から上方向ＨＹ１の所定の範囲をシールしている。
【００４５】
切断補助部９０は、主袋部５０と副袋部６０とを互いに分離することを補助する機能を有する。切断補助部９０は、第１ノッチ９１、第２ノッチ９２、第１ガイド線１１０、および第２ガイド線１２０を有する。
【００４６】
第１ノッチ９１は、第１側方縁２５のうち、第２ノッチ９２と対向する位置に形成されている。第１ノッチ９１は、側方シール上部８１Ａの一部が切り取られることにより形成されている。
【００４７】
第２ノッチ９２は、第２側方縁２６のうち、第１ノッチ９１と対向する位置に形成されている。第２ノッチ９２は、第２側方シール部８２の一部が切り取られることにより形成されている。
【００４８】
第１ガイド線１１０は、主袋部５０および副袋部６０を構成する２枚の積層シートのうち、第１シート３０（図２参照）に形成されている。
第２ガイド線１２０は、主袋部５０および副袋部６０を構成する２枚のシートのうち、第２シート４０（図２参照）に形成されている。
【００４９】
ファスナー１３０は、第１開口部５３を開封および密封する機能を有する。ファスナー１３０は、主袋部５０の内面に熱溶着されている。
図２を参照して、第１シート３０および第２シート４０の構成について説明する。
【００５０】
第１シート３０は、主袋部５０および副袋部６０の正面を構成している。第１シート３０は、第２シート４０と同一の層構成を有する積層シートが用いられている。第１シート３０は、第２シート４０と互いに対向している。第１シート３０は、最外層３１、中間層３２、および最内層３３を有する。なお、第１シート３０は、「第１面形成部」に相当する。
【００５１】
最外層３１は、パウチ１０の正面視において、第１シート３０のうち最も外側に位置している。最外層３１は、ポリエチレンテレフタレート層により構成されている。
中間層３２は、パウチ１０の正面視において、最外層３１と最内層３３との間に位置している。中間層３２は、印刷層、第１接着層、延伸ナイロン層、および第２接着層（いずれも図示略）により構成されている。印刷層は、最外層３１の内側に形成されている。印刷層は、外面に絵柄および商品の説明等を有する。第１接着層は、印刷層の内側に形成されている。延伸ナイロン層は、第１接着層の内側に形成されている。第２接着層は、延伸ナイロン層の内側に形成されている。
【００５２】
最内層３３は、パウチ１０の正面視において、第１シート３０のうち最も内側に位置している。最内層３３は、無延伸ポリプロピレン層により構成されている。
第２シート４０は、主袋部５０および副袋部６０の背面を構成している。第２シート４０は、第１シート３０と互いに対向している。第２シート４０は、最外層４１、中間層４２、最内層４３を有する。なお、第２シート４０は、「第２面形成部」に相当する。
【００５３】
最外層４１は、パウチ１０の背面視において、第２シート４０のうち最も外側に位置している。中間層４２は、パウチ１０の正面視において、最外層４１と最内層４３との間に位置している。最内層４３は、パウチ１０の背面視において、第２シート４０のうち最も内側に位置している。なお、第２シート４０において、各層を構成する材料は第１シート３０と同一であるため説明を省略する。
【００５４】
最外層３１の外面３１Ａと最内層４３の内面４３Ａとは、ΔＥ１．２以上、すなわち、目視により判別できる程度の大きさの色差を有する。最外層４１の外面４１Ａと最内層３３の内面３３Ａとは、ΔＥ１．２以上、すなわち、目視により判別できる程度の大きさの色差を有する。
【００５５】
図３および図４を参照して、第１ガイド線１１０および第２ガイド線１２０の詳細な構成について説明する。
第１ガイド線１１０は、第１シート３０に対して、最外層３１を貫通しかつ中間層３２の厚みの３０％までレーザーによるハーフカットが施されることにより形成されている。
【００５６】
第１ガイド線１１０は、波型形状を有する。第１ガイド線１１０は、第１ノッチ９１から第２ノッチ９２まで形成されている。第１ガイド線１１０の一方の端部１１０Ａは、第１ノッチ９１において第２ガイド線１２０の一方の端部１２０Ａと一致している。第１ガイド線１１０の他方の端部１１０Ｂは、第２ノッチ９２において第２ガイド線１２０の他方の端部１２０Ｂと一致している。第１ガイド線１１０は、第２ガイド線１２０に対して１／２波長ずらして形成されている。第１ガイド線１１０は、上方凸部１１１および下方凸部１１２を有する。
【００５７】
上方凸部１１１は、第１上方延伸部１１１Ａ、第１中継部１１１Ｂ、および第１下方延伸部１１１Ｃを有する。
第１上方延伸部１１１Ａは、第１ノッチ９１および第１中継部１１１Ｂと連続して形成されている。第１上方延伸部１１１Ａは、第１側方シール部８１から内方向ＨＸ１に向かうにつれて、上方向ＨＹ１に延伸する形状を有する。なお、第１上方延伸部１１１Ａは、「段差形成部」に相当する。
【００５８】
第１中継部１１１Ｂは、第１上方延伸部１１１Ａおよび第１下方延伸部１１１Ｃと連続して形成されている。第１中継部１１１Ｂは、延伸する方向が内方向ＨＸ１に向かうにつれて、上方向ＨＹ１から下方向ＨＹ２に変化している。第１中継部１１１Ｂと第１側方シール部８１の内縁との距離である中継部形成距離ＸＣは、第１シール幅ＸＡよりも短い。
【００５９】
第１下方延伸部１１１Ｃは、第１中継部１１１Ｂと連続して形成されている。第１下方延伸部１１１Ｃは、内方向ＨＸ１に向かうにつれて、下方向ＨＹ２に延伸する形状を有している。
【００６０】
下方凸部１１２は、第２下方延伸部１１２Ａ、第２中継部１１２Ｂ、および第２上方延伸部１１２Ｃを有する。
第２下方延伸部１１２Ａは、第１下方延伸部１１１Ｃおよび第２中継部１１２Ｂと連続して形成されている。第２下方延伸部１１２Ａは、内方向ＨＸ１に向かうにつれて下方向ＨＹ２に延伸する形状を有する。
【００６１】
第２中継部１１２Ｂは、第２下方延伸部１１２Ａおよび第２上方延伸部１１２Ｃと連続して形成されている。第２中継部１１２Ｂは、内方向ＨＸ１に向かうにつれて、延伸する方向が下方向ＨＹ２から上方向ＨＹ１に変化している。
【００６２】
第２上方延伸部１１２Ｃは、第２中継部１１２Ｂと連続して形成されている。第２上方延伸部１１２Ｃは、内方向ＨＸ１に向かうにつれて、上方向ＨＹ１に延伸する形状を有する。
【００６３】
第２ガイド線１２０は、第２シート４０に対して、最外層４１を貫通しかつ中間層４２の厚みの３０％までレーザーによるハーフカットが施されることにより形成されている。
第２ガイド線１２０は、波型形状を有する。第２ガイド線１２０は、第１ノッチ９１から第２ノッチ９２まで形成されている。第２ガイド線１２０は、下方凸部１２１および上方凸部１２２を有する。
【００６４】
下方凸部１２１は、第３下方延伸部１２１Ａ、第３中継部１２１Ｂ、および第３上方延伸部１２１Ｃを有する。
第３下方延伸部１２１Ａは、第１ノッチ９１および第３中継部１２１Ｂと連続して形成されている。第３下方延伸部１２１Ａは、第１側方シール部８１から内方向ＨＸ１に向かうにつれて、下方向ＨＹ２に延伸する形状を有する。
【００６５】
第３中継部１２１Ｂは、第３下方延伸部１２１Ａおよび第３上方延伸部１２１Ｃと連続して形成されている。第３中継部１２１Ｂは、内方向ＨＸ１に向かうにつれて、延伸する方向が下方向ＨＹ２から上方向ＨＹ１に変化している。第３中継部１２１Ｂは、第１中継部１１１Ｂよりも下方向ＨＹ２に形成されている。
【００６６】
第３上方延伸部１２１Ｃは、第３中継部１２１Ｂと連続して形成されている。第３上方延伸部１２１Ｃは、内方向ＨＸ１に向かうにつれて、上方向ＨＹ１に延伸している。
上方凸部１２２は、第４上方延伸部１２２Ａ、第４中継部１２２Ｂ、および第４下方延伸部１２２Ｃを有する。
【００６７】
第４上方延伸部１２２Ａは、第３上方延伸部１２１Ｃおよび第４中継部１２２Ｂと連続して形成されている。第４上方延伸部１２２Ａは、内方向ＨＸ１に向かうにつれて、上方向ＨＹ１に延伸する形状を有する。
【００６８】
第４中継部１２２Ｂは、第４上方延伸部１２２Ａおよび第４下方延伸部１２２Ｃと連続して形成されている。第４中継部１２２Ｂは、内方向ＨＸ１に向かうにつれて、延伸する方向が上方向ＨＹ１から下方向ＨＹ２に変化している。第４中継部１２２Ｂは、第２中継部１１２Ｂよりも上方向ＨＹ１に形成されている。
【００６９】
第４下方延伸部１２２Ｃは、第４中継部１２２Ｂと連続して形成されている。第４下方延伸部１２２Ｃは、内方向ＨＸ１に向かうにつれて、下方向ＨＹ２に延伸している。
図５を参照して、内容物封入パウチ１の構成について説明する。
【００７０】
内容物封入パウチ１は、パウチ１０および内容物６００を有する。内容物封入パウチ１は、内部空間２９に内容物６００を収容している。内容物封入パウチ１は、第２開口部５４Ａにシール加工が施されている。内容物６００は液体調味料を示している。
【００７１】
図６および図７を参照して、内容物封入パウチ１の製造工程について説明する。
内容物封入パウチ１の製造工程は、第１工程、第２工程（図６（ａ））、第３工程（図６（ｂ））、第４工程（図６（ｃ））、第５工程（図７（ａ））、第６工程（図７（ｂ））、および第７工程（図７（ｃ））を含む。
【００７２】
第１工程においては、パウチ１０が製造される。
第２工程においては、パウチ１０の第１角部２１の周辺および第３角部２３の周辺がそれぞれ充填機７００のチャック７１０によりチャッキングされる。
【００７３】
パウチ１０は、図６（ａ）に示される状態で、充填ラインに搬送される。所定の充填ライン位置において、第２開口部５４Ａは吸盤（図示略）により開封される。
第３工程においては、図６（ｂ）に示されるように、第２開口部５４Ａにノズル７２０が挿入される。ノズル７２０は、内部空間２９に内容物６００を充填する。
【００７４】
第４工程においては、図６（ｃ）に示されるように、内部空間２９に所定量の内容物６００が充填されることにより充填が終了する。内部空間２９への内容物６００の充填が終了した後、ノズル７２０は第２開口部５４Ａから抜かれる。
【００７５】
第５工程においては、図７（ａ）に示されるように、パウチ１０の第１角部２１の周辺および第３角部２３の周辺がそれぞれ充填機７００のチャック７１０によりチャッキングされたままパウチ１０がシール加工ラインに搬送される。
【００７６】
第６工程においては、図７（ｂ）に示されるように、所定のシール加工ライン位置において、シール装置８００は、第２開口部５４Ａを挟みこむ。これにより、第２開口部５４Ａにシール加工が施される。
【００７７】
第７工程においては、シール加工の終了後、図７（ｃ）に示されるように、シール装置８００は、第２開口部５４Ａを挟み込みこんだ状態を解除する。その後、シール装置８００は、内容物封入パウチ１から離間する。
【００７８】
図８を参照して、内容物封入パウチ１の使用方法、すなわち作用について説明する。
内容物封入パウチ１は、使用者により、第１ノッチ９１を始点として第１ガイド線１１０および第２ガイド線１２０に沿って切り取られる。これにより、内容物封入パウチ１は、主袋部５０と副袋部６０とに分離される。このため、主袋部５０には、複数の第１把持部５５および複数の第２把持部５６が形成される。
【００７９】
第１把持部５５は、第１シート３０に形成されている。第１把持部５５は、上方向ＨＹ１に突出する形状を有する。第２把持部５６は、第２シート４０に形成されている。第２把持部５６は、上方向ＨＹ１に突出する形状を有する。
【００８０】
使用者は、第１把持部５５および第２把持部５６を指でつまんで第１開口部５３およびファスナー１３０を開封する。
使用者は、内部空間２９に肉および野菜等の所望の食材を投入する。使用者は、ファスナー１３０を閉じることによりパウチ１０を再封する。使用者は、内容物封入パウチ１を電子レンジで加熱する。使用者は、内容物封入パウチ１の加熱の終了後、電子レンジから内容物封入パウチ１を取り出す。使用者は、第１把持部５５および第２把持部５６をつまんで第１開口部５３およびファスナー１３０を開封する。使用者は、内部空間２９から内容物６００等を取り出す。
【００８１】
パウチ１０および内容物封入パウチ１は、以下の効果を奏する。
（１）パウチ１０は、第１ガイド線１１０および第２ガイド線１２０を有する。第１ガイド線は、袋本体部２０を分離する構造を有する。第１ガイド線１１０は、第１シート３０（第１面形成部）に形成されている。第１ガイド線１１０は、第１上方延伸部１１１Ａ（段差形成部）を有する。第１上方延伸部１１１Ａは、第１側方シール部８１から内方向ＨＸ１に向かうにつれて、上方向ＨＹ１に延伸する形状を有する。
【００８２】
第２ガイド線１２０は、袋本体部２０を分離する構造を有する。第２ガイド線１２０は、第２シート４０（第２面形成部）に形成されている。第２ガイド線１２０は、第１上方延伸部１１１Ａと異なる形状を有する。
【００８３】
パウチ１０は、一例として、内容物６００が封入された状態で加熱される。加熱されたパウチ１０の温度は、パウチ１０の幅方向ＨＸの中央よりも第１側方シール部８１の方が相対的に低い。パウチ１０は、第１ガイド線１１０および第２ガイド線１２０に沿って袋本体部２０が分離されたとき、第１側方シール部８１から内方向ＨＸ１の所定の範囲に第１シート３０と第２シート４０との段差、すなわち第１把持部５５および第２把持部５６が形成される。このため、パウチ１０は、パウチ１０において比較的温度が低い箇所に第１把持部５５および第２把持部５６が形成される。このため、パウチ１０は、使用者が開封作業を不快に感じることを抑制できる。
【００８４】
（２）パウチ１０の第１ガイド線１１０は、上方凸部１１１および下方凸部１１２を有する。上方凸部１１１は、第１中継部１１１Ｂを有する。下方凸部１１２は第２中継部１１２Ｂを有する。パウチ１０の第２ガイド線１２０は、下方凸部１２１および上方凸部１２２を有する。下方凸部１２１は、第３中継部１２１Ｂを有する。第３中継部１２１Ｂは、第１中継部１１１Ｂよりも下方向ＨＹ２に形成されている。上方凸部１２２は、第４中継部１２２Ｂを有する。第４中継部１２２Ｂは、第２中継部１１２Ｂよりも上方向ＨＹ１に形成されている。このため、パウチ１０は、第１ガイド線１１０および第２ガイド線１２０に沿って袋本体部２０が分離されたとき、第１シート３０と第２シート４０とが対向しない部分である第１把持部５５および第２把持部５６が形成される。このため、パウチ１０は、把持部が１ヶ所のみ形成される構成のパウチと比較して、より開封しやすい。
【００８５】
（３）パウチ１０の中継部形成距離ＸＣは、第１側方シール部８１の第１シール幅ＸＡよりも短い。このため、パウチ１０は、中継部形成距離ＸＣが第１シール幅ＸＡよりも長い構成のパウチと比較して、形成される第１把持部５５の傾斜角度をより大きくすることができる。このため、パウチ１０は、使用者がよりつまみやすい形状の段差を形成することができる。
【００８６】
（４）パウチ１０の第１ガイド線１１０は、波型形状を有する。第１ガイド線１１０は、第１側方シール部８１から第２側方シール部８２まで形成されている。パウチ１０の第２ガイド線１２０は、第１ガイド線１１０と位相が異なる波型形状を有する。このため、パウチ１０は、袋本体部２０が第１ガイド線１１０および第２ガイド線１２０に沿って分離されたとき、第２側方シール部８２の近傍に段差、すなわち把持部が形成される。このため、パウチ１０は、第１側方シール部８１側および第２側方シール部８２側のいずれからも開封することができる。
【００８７】
（５）パウチ１０の第１ガイド線１１０は、波型形状を有する。パウチ１０の第２ガイド線１２０は、第１ガイド線１１０と位相が異なる波型形状を有する。このため、使用者は、パウチ１０の正面から背面に向けて袋本体部２０を分離する作業またはパウチ１０の背面から正面に向けて袋本体部２０を分離する作業のいずれの作業も容易に行うことができる。
【００８８】
（６）最外層３１の外面３１Ａと最内層４３の内面４３Ａとは、ΔＥ１．２以上、すなわち、目視により判別できる程度の大きさの色差を有する。最外層４１の外面４１Ａと最内層３３の内面３３Ａとは、ΔＥ１．２以上、すなわち、目視により判別できる程度の大きさの色差を有する。このため、パウチ１０は、袋本体部２０がガイド線に沿って分離されたとき、形成された第１把持部５５および第２把持部５６が正面側および背面側のいずれからでも認識されやすくなる。
【００８９】
（７）第１ガイド線１１０の一方の端部１１０Ａは、第１ノッチ９１において第２ガイド線１２０の一方の端部１２０Ａと一致している。第１ガイド線１１０の他方の端部１１０Ｂは、第２ノッチ９２において第２ガイド線１２０の他方の端部１２０Ｂと一致している。このため、パウチ１０は、第１ガイド線１１０および第２ガイド線１２０に沿って袋本体部２０を分離したときに、第１側方縁２５および第２側方縁２６を美麗にすることができる。
【００９０】
（８）パウチ１０は、袋本体部２０を有する。袋本体部２０は、第２開口部５４Ａを有する。このため、パウチ１０は、内容物封入パウチ１の製造過程において、第２開口部５４Ａから袋本体部２０の内部空間２９に内容物６００を入れることができる。このため、パウチ１０は、内容物封入パウチ１の製造過程においてファスナー１３０に内容物６００が付着するおそれが低減される。
【００９１】
（９）パウチ１０は、袋本体部２０を有する。袋本体部２０は、第２開口部５４Ａを有する。第２開口部５４Ａは、第１側方部５１から突出した形状を有する。このため、パウチ１０は、内容物封入パウチ１の製造過程において第２開口部５４Ａをシールするとき、袋本体部２０をチャッキングするチャック７１０がシール装置８００の移動軌跡上に位置しない状態を形成することができる。このため、パウチ１０は、第２開口部５４Ａのシール加工が容易になる。
【００９２】
（第２実施形態）
第２実施形態のパウチ２００は、次の点において第１実施形態のパウチ１０と相違し、その他の点においては第１実施形態のパウチ１０と同じ構成を有する。第１実施形態のパウチ１０は、図１等に示される第１ガイド線１１０および第２ガイド線１２０を有する。第２実施形態のパウチ２００は、図９に示される第１ガイド線２１０および第２ガイド線２２０を有する。なお、第２実施形態のパウチ２００において、第１実施形態のパウチ１０と共通する構成については、同一の符号を付して、その説明の一部または全部を省略する。なお、図９に示されるドットは、パウチ２００のシール部８０を示している。
【００９３】
図９を参照して、パウチ２００の構成について説明する。
パウチ２００は、第１ガイド線２１０および第２ガイド線２２０を有する。
第１ガイド線２１０は、波型形状を有する。第１ガイド線２１０は、第１ノッチ９１から第２ノッチ９２まで形成されている。第１ガイド線２１０の一方の端部２１０Ａは、第１ノッチ９１において第２ガイド線２２０の一方の端部２２０Ａと一致している。第１ガイド線２１０の他方の端部２１０Ｂは、第２ノッチ９２において第２ガイド線２２０の他方の端部２２０Ｂと一致している。第１ガイド線２１０は、上方凸部２１１および下方凸部２１２を有する。
【００９４】
上方凸部２１１は、第１上方延伸部２１１Ａ、第１中継部２１１Ｂ、および第１下方延伸部２１１Ｃを有する。
第１上方延伸部２１１Ａは、第１ノッチ９１および第１中継部２１１Ｂと連続して形成されている。第１上方延伸部２１１Ａは、第１側方シール部８１から内方向ＨＸ１に向かうにつれて、上方向ＨＹ１に延伸する形状を有する。なお、第１上方延伸部２１１Ａは、「段差形成部」に相当する。
【００９５】
第１中継部２１１Ｂは、第１上方延伸部２１１Ａおよび第１下方延伸部２１１Ｃと連続して形成されている。第１中継部２１１Ｂは、内方向ＨＸ１に向かうにつれて、延伸する方向が上方向ＨＹ１から下方向ＨＹ２に変化している。第１中継部２１１Ｂと第１側方シール部８１の内縁との距離である中継部形成距離ＸＣは、第１シール幅ＸＡよりも短い。
【００９６】
第１下方延伸部２１１Ｃは、第１中継部２１１Ｂと連続して形成されている。第１下方延伸部２１１Ｃは、内方向ＨＸ１に向かうにつれて、下方向ＨＹ２に延伸している。
下方凸部２１２は、第２下方延伸部２１２Ａ、第２中継部２１２Ｂ、および第２上方延伸部２１２Ｃを有する。
【００９７】
第２下方延伸部２１２Ａは、第１下方延伸部２１１Ｃおよび第２中継部２１２Ｂと連続して形成されている。第２下方延伸部２１２Ａは、内方向ＨＸ１に向かうにつれて、下方向ＨＹ２に延伸する形状を有する。
【００９８】
第２中継部２１２Ｂは、第２下方延伸部２１２Ａおよび第２上方延伸部２１２Ｃと連続して形成されている。第２中継部２１２Ｂは、内方向ＨＸ１に向かうにつれて、延伸する方向が下方向ＨＹ２から上方向ＨＹ１に変化している。
【００９９】
第２上方延伸部２１２Ｃは、第２中継部２１２Ｂと連続して形成されている。第２上方延伸部２１２Ｃは、内方向ＨＸ１に向かうにつれて、上方向ＨＹ１に延伸する形状を有する。
【０１００】
第２ガイド線２２０は、第１ノッチ９１から第２ノッチ９２に延伸する直線形状を有する。第２ガイド線２２０は、第１中継部２１１Ｂよりも下方向ＨＹ２を通過している。第２ガイド線２２０は、第２中継部２１２Ｂよりも上方向ＨＹ１を通過している。
【０１０１】
パウチ２００は、上記（１）〜（４）、および（６）〜（９）の効果を奏する。
（第３実施形態）
第３実施形態のパウチ３００は、次の点において第１実施形態のパウチ１０と相違し、その他の点においては第１実施形態のパウチ１０と同じ構成を有する。第１実施形態のパウチ１０は、図１等に示される第１ガイド線１１０および第２ガイド線１２０を有する。第３実施形態のパウチ３００は、図１０に示される第１ガイド線３１０および第２ガイド線３２０を有する。なお、第３実施形態のパウチ３００において、第１実施形態のパウチ１０と共通する構成については、同一の符号を付して、その説明の一部または全部を省略する。なお、図１０に示されるドットは、パウチ３００のシール部８０を示している。
【０１０２】
図１０を参照して、パウチ３００の構成について説明する。
パウチ３００は、第１ガイド線３１０および第２ガイド線３２０を有する。
第１ガイド線３１０は、第１ノッチ９１から第２ノッチ９２まで形成されている。第１ガイド線３１０の一方の端部３１０Ａは、第１ノッチ９１において第２ガイド線３２０の一方の端部３２０Ａと一致している。第１ガイド線３１０の他方の端部３１０Ｂは、第２ノッチ９２において第２ガイド線３２０の他方の端部３２０Ｂと一致している。
【０１０３】
第１ガイド線３１０は、上方凸部３１１、下方凸部３１２、第１直線部３１３、および第２直線部３１４を有する。
上方凸部３１１は、第１上方延伸部３１１Ａ、第１中継部３１１Ｂ、および第１下方延伸部３１１Ｃを有する。
【０１０４】
第１上方延伸部３１１Ａは、第１ノッチ９１および第１中継部３１１Ｂと連続して形成されている。第１上方延伸部３１１Ａは、第１側方シール部８１から内方向ＨＸ１に向かうにつれて、上方向ＨＹ１に延伸する形状を有する。なお、第１上方延伸部３１１Ａは、「段差形成部」に相当する。
【０１０５】
第１中継部３１１Ｂは、第１上方延伸部３１１Ａおよび第１下方延伸部３１１Ｃと連続して形成されている。第１中継部３１１Ｂは、延伸する方向が内方向ＨＸ１に向かうにつれて、上方向ＨＹ１から下方向ＨＹ２に変化している。第１中継部３１１Ｂと第１側方シール部８１の内縁との距離である中継部形成距離ＸＣは、第１シール幅ＸＡよりも短い。
【０１０６】
第１下方延伸部３１１Ｃは、第１中継部３１１Ｂおよび第１直線部３１３と連続して形成されている。第１下方延伸部３１１Ｃは、内方向ＨＸ１に向かうにつれて、下方向ＨＹ２に延伸する形状を有する。
【０１０７】
下方凸部３１２は、第２下方延伸部３１２Ａ、第２中継部３１２Ｂ、および第２上方延伸部３１２Ｃを有する。
第２下方延伸部３１２Ａは、第１直線部３１３および第２中継部３１２Ｂと連続して形成されている。第２下方延伸部３１２Ａは、内方向ＨＸ１に向かうにつれて、下方向ＨＹ２に延伸する形状を有する。
【０１０８】
第２中継部３１２Ｂは、第２下方延伸部３１２Ａおよび第２上方延伸部３１２Ｃと連続して形成されている。第２中継部３１２Ｂは、内方向ＨＸ１に向かうにつれて、延伸する方向が下方向ＨＹ２から上方向ＨＹ１に変化している。
【０１０９】
第２上方延伸部３１２Ｃは、第２中継部３１２Ｂおよび第２直線部３１４と連続して形成されている。第２上方延伸部３１２Ｃは、内方向ＨＸ１に向かうにつれて、上方向ＨＹ１に延伸する形状を有する。
【０１１０】
第１直線部３１３は、第１下方延伸部３１１Ｃおよび第２下方延伸部３１２Ａと連続して形成されている。第１直線部３１３は、幅方向ＨＸに延伸する直線形状を有する。
第２直線部３１４は、第２上方延伸部３１２Ｃおよび第２ノッチ９２と連続して形成されている。第２直線部３１４は、幅方向ＨＸに延伸する直線形状を有する。
【０１１１】
第２ガイド線３２０は、第１ノッチ９１から第２ノッチ９２に延伸する直線形状を有する。第２ガイド線３２０は、第１中継部３１１Ｂよりも下方向ＨＹ２を通過している。第２ガイド線３２０は、第２中継部３１２Ｂよりも上方向ＨＹ１を通過している。
【０１１２】
パウチ３００は、上記（１）〜（４）、および（６）〜（９）の効果を奏する。
（第４実施形態）
第４実施形態のパウチ４００は、次の点において第１実施形態のパウチ１０と相違し、その他の点においては第１実施形態のパウチ１０と同じ構成を有する。第１実施形態のパウチ１０は、図１等に示される第１ガイド線１１０および第２ガイド線１２０を有する。第４実施形態のパウチ４００は、図１０に示される第１ガイド線４１０および第２ガイド線４２０を有する。なお、第４実施形態のパウチ４００において、第１実施形態のパウチ１０と共通する構成については、同一の符号を付して、その説明の一部または全部を省略する。なお、図１１に示されるドットは、パウチ４００のシール部８０を示している。
【０１１３】
図１１を参照して、パウチ４００の構成について説明する。
第１ガイド線４１０は、第１ノッチ９１から第２ノッチ９２まで形成されている。第１ガイド線４１０の一方の端部４１０Ａは、第１ノッチ９１において第２ガイド線４２０の一方の端部４２０Ａと一致している。第１ガイド線４１０の他方の端部４１０Ｂは、第２ノッチ９２において第２ガイド線４２０の他方の端部４２０Ｂと一致している。
【０１１４】
第１ガイド線４１０は、下方凸部４１１、上方凸部４１２、第１直線部４１３、および第２直線部４１４を有する。
下方凸部４１１は、第１下方延伸部４１１Ａ、第１中継部４１１Ｂ、および第１上方延伸部４１１Ｃを有する。
【０１１５】
第１下方延伸部４１１Ａは、第１ノッチ９１および第１中継部４１１Ｂと連続して形成されている。第１下方延伸部４１１Ａは、第１側方シール部８１から内方向ＨＸ１に向かうにつれて下方向ＨＹ２に延伸する直線形状を有する。なお、第１下方延伸部４１１Ａは、「段差形成部」に相当する。
【０１１６】
第１中継部４１１Ｂは、第１下方延伸部４１１Ａおよび第１上方延伸部４１１Ｃと連続して形成されている。第１中継部４１１Ｂは、内方向ＨＸ１に向かうにつれて、延伸する方向が下方向ＨＹ２から上方向ＨＹ１に変化している。第１中継部４１１Ｂと第１側方シール部８１の内縁との距離である中継部形成距離ＸＣは、第１シール幅ＸＡよりも短い。
【０１１７】
第１上方延伸部４１１Ｃは、第１中継部４１１Ｂおよび第１直線部４１３と連続して形成されている。第１上方延伸部４１１Ｃは、内方向ＨＸ１に向かうにつれて下方向ＨＹ２に延伸する直線形状を有する。
【０１１８】
上方凸部４１２は、第２上方延伸部４１２Ａ、第２中継部４１２Ｂ、および第２下方延伸部４１２Ｃを有する。
第２上方延伸部４１２Ａは、第１直線部４１３および第２中継部４１２Ｂと連続して形成されている。第２上方延伸部４１２Ａは、内方向ＨＸ１に向かうにつれて、上方向ＨＹ１に延伸する直線形状を有する。
【０１１９】
第２中継部４１２Ｂは、第２上方延伸部４１２Ａおよび第２下方延伸部４１２Ｃと連続して形成されている。第２中継部４１２Ｂは、内方向ＨＸ１に向かうにつれて、延伸する方向が上方向ＨＹ１から下方向ＨＹ２に変化している。
【０１２０】
第２下方延伸部４１２Ｃは、第２中継部４１２Ｂおよび第２直線部４１４と連続して形成されている。第２下方延伸部４１２Ｃは、内方向ＨＸ１に向かうにつれて、下方向ＨＹ２に延伸する直線形状を有する。
【０１２１】
第１直線部４１３は、第１上方延伸部４１１Ｃおよび第２上方延伸部４１２Ａと連続して形成されている。第１直線部４１３は、幅方向ＨＸに延伸する直線形状を有する。
第２直線部４１４は、第２下方延伸部４１２Ｃおよび第２ノッチ９２と連続して形成されている。第２直線部４１４は、幅方向ＨＸに延伸する直線形状を有する。
【０１２２】
第２ガイド線４２０は、第１ノッチ９１から第２ノッチ９２に延伸する直線形状を有する。第２ガイド線４２０は、第１中継部４１１Ｂよりも上方向ＨＹ１を通過している。第２ガイド線４２０は、第２中継部４１２Ｂよりも下方向ＨＹ２を通過している。
【０１２３】
パウチ３００は、上記（１）〜（４）、および（６）〜（９）の効果を奏する。
（第５実施形態）
第５実施形態のパウチ５００は、次の点において第１実施形態のパウチ１０と相違し、その他の点においては第１実施形態のパウチ１０と同じ構成を有する。第１実施形態のパウチ１０は、図１等に示される第１ガイド線１１０および第２ガイド線１２０を有する。第５実施形態のパウチ５００は、図１２に示される第１ガイド線５１０および第２ガイド線５２０を有する。なお、第５実施形態のパウチ５００において、第１実施形態のパウチ１０と共通する構成については、同一の符号を付して、その説明の一部または全部を省略する。なお、図１２に示されるドットは、パウチ５００のシール部８０を示している。
【０１２４】
第１ガイド線５１０は、波型に類似する形状を有する。第１ガイド線５１０は、第１ノッチ９１から第２ノッチ９２まで形成されている。第１ガイド線５１０の一方の端部５１０Ａは、第１ノッチ９１において第２ガイド線５２０の一方の端部５２０Ａと一致している。第１ガイド線５１０の他方の端部５１０Ｂは、第２ノッチ９２において第２ガイド線５２０の他方の端部５２０Ｂと一致している。第１ガイド線５１０は、上方凸部５１１および下方凸部５１２を有する。
【０１２５】
上方凸部５１１は、第１上方延伸部５１１Ａ、第１中継部５１１Ｂ、および第１下方延伸部５１１Ｃを有する。
第１上方延伸部５１１Ａは、第１ノッチ９１および第１中継部５１１Ｂと連続して形成されている。第１上方延伸部５１１Ａは、第１側方シール部８１から内方向ＨＸ１に向かうにつれて、上方向ＨＹ１に延伸する直線形状を有する。なお、第１上方延伸部５１１Ａは、「段差形成部」に相当する。
【０１２６】
第１中継部５１１Ｂは、第１上方延伸部５１１Ａおよび第１下方延伸部５１１Ｃと連続して形成されている。第１中継部５１１Ｂは、内方向ＨＸ１に向かうにつれて、延伸する方向が上方向ＨＹ１から下方向ＨＹ２に変化している。第１中継部５１１Ｂと第１側方シール部８１の内縁との距離である中継部形成距離ＸＣは、第１シール幅ＸＡよりも短い。
【０１２７】
第１下方延伸部５１１Ｃは、第１中継部５１１Ｂと連続して形成されている。第１下方延伸部５１１Ｃは、内方向ＨＸ１に向かうにつれて、下方向ＨＹ２に延伸する直線形状を有する。
【０１２８】
下方凸部５１２は、第２下方延伸部５１２Ａ、第２中継部５１２Ｂ、および第２上方延伸部５１２Ｃを有する。
第２下方延伸部５１２Ａは、第１下方延伸部５１１Ｃおよび第２中継部５１２Ｂと連続して形成されている。第２下方延伸部５１２Ａは、内方向ＨＸ１に向かうにつれて、下方向ＨＹ２に延伸する直線形状を有する。
【０１２９】
第２中継部５１２Ｂは、第２下方延伸部５１２Ａおよび第２上方延伸部５１２Ｃと連続して形成されている。第２中継部５１２Ｂは、内方向ＨＸ１に向かうにつれて、延伸する方向が下方向ＨＹ２から上方向ＨＹ１に変化している。
【０１３０】
第２上方延伸部５１２Ｃは、第２中継部５１２Ｂと連続して形成されている。第２上方延伸部５１２Ｃは、内方向ＨＸ１に向かうにつれて、上方向ＨＹ１に延伸する直線形状を有する。
【０１３１】
第２ガイド線５２０は、第１ノッチ９１から第２ノッチ９２に延伸する直線形状を有する。第２ガイド線５２０は、第１中継部５１１Ｂよりも下方向ＨＹ２を通過している。第２ガイド線５２０は、第２中継部５１２Ｂよりも上方向ＨＹ１を通過している。
【０１３２】
パウチ２００は、上記（１）〜（４）、および（６）〜（９）の効果を奏する。
（その他の実施形態）
本パウチおよび本内容物封入パウチは、第１実施形態〜第５実施形態とは異なるその他の実施形態を含む。その他の実施形態は、一例として、第１実施形態〜第５実施形態の変形例として以下に示される形態を含む。なお、以下の各変形例は、技術的に矛盾しない範囲において互いに組み合わせることができる。
【０１３３】
・第１実施形態の第１ガイド線１１０は、上方凸部１１１および下方凸部１１２を有する。上方凸部１１１および下方凸部１１２は、第１側方シール部８１から内方向ＨＸ１に向けて上方凸部１１１および下方凸部１１２の順に形成されている。ただし、第１ガイド線１１０の形状の形状は、第１実施形態に例示された内容に限られない。変形例の第１ガイド線は、第１側方シール部８１から内方向ＨＸ１に向けて下方凸部１１２および上方凸部１１１の順に形成されている。
【０１３４】
・第１実施形態の主袋部５０および副袋部６０は、第１シート３０および第２シート４０の縁が互いにシールされることにより形成されている。ただし、主袋部５０および副袋部６０の構成は、第１実施形態に例示された内容に限られない。変形例の主袋部および副袋部は、１枚の積層シートにより形成されている。すなわち、変形例の主袋部および副袋部は、１枚の積層シートが折られることにより、第１面形成部および第２面形成部を形成している。
【０１３５】
・第１実施形態のパウチ１０は、切断補助部９０を有する。切断補助部９０は、第１ノッチ９１および第２ノッチ９２を有する。ただし、切断補助部９０の構成は、第１実施形態に例示された内容に限られない。変形例の切断補助部９０は、第１ノッチ９１および第２ノッチ９２の少なくとも一方が省略されている。
【０１３６】
・第１実施形態のパウチ１０は、切断補助部９０を有する。切断補助部９０は、第１ノッチ９１および第２ノッチ９２を有する。ただし、切断補助部９０の構成は、第１実施形態に例示された内容に限られない。変形例の切断補助部９０は、第１ノッチ９１および第２ノッチ９２の少なくとも一方に代えて傷加工が用いられている。
【０１３７】
・第１実施形態のパウチ１０の第１シート３０は、最外層３１、中間層３２、および最内層３３を有する。最外層３１は、ポリエチレンテレフタレート層により構成されている。中間層３２は、印刷層、第１接着層、延伸ナイロン層、および第２接着層により構成されている。最内層３３は、無延伸ポリプロピレン層により構成されている。ただし、第１シート３０の構成は、第１実施形態に例示された内容に限定されない。変形例の第１シートは、パウチが収容する内容物の種類に応じて、最適な層構成を有するシートが適宜選択される。
【０１３８】
・第１実施形態のパウチ１０は、第２開口部５４Ａおよびファスナー１３０を有する。ただし、パウチ１０の構成は、第１実施形態に例示された内容に限られない。変形例のパウチは、第２開口部５４Ａおよびファスナー１３０の少なくとも一方が省略されている。
【０１３９】
・第１実施形態のパウチ１０は、スタンディングパウチとしての形態を有する。ただし、パウチ１０の形態は、第１実施形態に例示された内容に限られない。変形例のパウチは、平型パウチ等の様々な形態を有する。
【０１４０】
・第１実施形態の内容物封入パウチ１は、内容物６００を有する。内容物６００は、液体調味料が選択される。ただし、内容物６００の種類は、第１実施形態に例示された内容に限られない。例えば、変形例の内容物封入パウチは、内容物６００として、医療具や哺乳瓶等の殺菌消毒された物品または液体洗剤等を収容している。
【０１４１】
・第４実施形態のパウチ４００は、第１ガイド線４１０を有する。第１ガイド線４１０は、下方凸部４１１を有する。下方凸部４１１は、第１中継部４１１Ｂを有する。第１中継部４１１Ｂは、内方向ＨＸ１に向かうにつれて、延伸する方向が下方向ＨＹ２から上方向ＨＹ１に変化している。ただし、第１中継部４１１Ｂの形状は、第４実施形態に例示された内容に限られない。変形例の第１中継部は、下方向ＨＹ２に延伸する部分と上方向ＨＹ１に延伸する部分との間に第２ガイド線４２０と平行な部分を含む。すなわち、変形例の下方凸部は、全体として台形に類似する形状を有する。
【符号の説明】
【０１４２】
１…内容物封入パウチ、１０…パウチ、２０…袋本体部、２１…第１角部、２２…第２角部、２３…第３角部、２４…第４角部、２５…第１側方縁、２６…第２側方縁、２７…上縁、２８…下縁、２９…内部空間、３０…第１シート、３１…最外層、３１Ａ…外面、３２…中間層、３３…最内層、３３Ａ…内面、４０…第２シート、４１…最外層、４１Ａ…外面、４２…中間層、４３…最内層、４３Ａ…内面、５０…主袋部、５１…第１側方部、５２…第２側方部、５３…第１開口部、５４…突出部、５４Ａ…第２開口部、５５…第１把持部、５６…第２把持部、６０…副袋部、６１…把持部、７０…底ガゼット、８０…シール部、８１…第１側方シール部、８１Ａ…側方シール上部、８１Ｂ…側方シール下部、８２…第２側方シール部、８３…上方シール部、８４…下方シール部、９０…切断補助部、９１…第１ノッチ、９２…第２ノッチ、１１０…第１ガイド線、１１０Ａ…端部、１１０Ｂ…端部、１１１…上方凸部、１１１Ａ…第１上方延伸部、１１１Ｂ…第１中継部、１１１Ｃ…第１下方延伸部、１１２…下方凸部、１１２Ａ…第２下方延伸部、１１２Ｂ…第２中継部、１１２Ｃ…第２上方延伸部、１２０…第２ガイド線、１２０Ａ…端部、１２０Ｂ…端部、１２１…下方凸部、１２１Ａ…第３下方延伸部、１２１Ｂ…第３中継部、１２１Ｃ…第３上方延伸部、１２２…上方凸部、１２２Ａ…第４上方延伸部、１２２Ｂ…第４中継部、１２２Ｃ…第４下方延伸部、１３０…ファスナー、２００…パウチ、２１０…第１ガイド線、２１０Ａ…端部、２１０Ｂ…端部、２１１…上方凸部、２１１Ａ…第１上方延伸部、２１１Ｂ…第１中継部、２１１Ｃ…第１下方延伸部、２１２…下方凸部、２１２Ａ…第２下方延伸部、２１２Ｂ…第２中継部、２１２Ｃ…第２上方延伸部、２２０…第２ガイド線、２２０Ａ…端部、２２０Ｂ…端部、３００…パウチ、３１０…第１ガイド線、３１０Ａ…端部、３１０Ｂ…端部、３１１…上方凸部、３１１Ａ…第１上方延伸部、３１１Ｂ…第１中継部、３１１Ｃ…第１下方延伸部、３１２…下方凸部、３１２Ａ…第２下方延伸部、３１２Ｂ…第２中継部、３１２Ｃ…第２上方延伸部、３１３…第１直線部、３１４…第２直線部、３２０…第２ガイド線、３２０Ａ…端部、３２０Ｂ…端部、４００…パウチ、４１０…第１ガイド線、４１０Ａ…端部、４１０Ｂ…端部、４１１…下方凸部、４１１Ａ…第１下方延伸部、４１１Ｂ…第１中継部、４１１Ｃ…第１上方延伸部、４１２…上方凸部、４１２Ａ…第２上方延伸部、４１２Ｂ…第２中継部、４１２Ｃ…第２下方延伸部、４１３…第１直線部、４１４…第２直線部、４２０…第２ガイド線、４２０Ａ…端部、４２０Ｂ…端部、５００…パウチ、５１０…第１ガイド線、５１０Ａ…端部、５１０Ｂ…端部、５１１…上方凸部、５１１Ａ…第１上方延伸部、５１１Ｂ…第１中継部、５１１Ｃ…第１下方延伸部、５１２…下方凸部、５１２Ａ…第２下方延伸部、５１２Ｂ…第２中継部、５１２Ｃ…第２上方延伸部、５２０…第２ガイド線、５２０Ａ…端部、５２０Ｂ…端部、６００…内容物、７００…充填機、７１０…チャック、７２０…ノズル、８００…シール装置、９００…パウチ、９１０…袋本体部、９１１…段差部、９２０…シール部、９２１…第１側方シール部、９２２…第２側方シール部、９２３…上方シール部、９２４…下方シール部、９３０…ガイド線、９３１…第１ガイド線、９３１Ａ…第１直線部、９３１Ｂ…上方湾曲部、９３１Ｃ…第２直線部、９３２…第２ガイド線、９３２Ａ…第１直線部、９３２Ｂ…下方湾曲部、９３２Ｃ…第２直線部。
【図１】
2014213857.tif 000003
【図２】
2014213857.tif 000004
【図３】
2014213857.tif 000005
【図４】
2014213857.tif 000006
【図５】
2014213857.tif 000007
【図６】
2014213857.tif 000008
【図７】
2014213857.tif 000009
【図８】
2014213857.tif 000010
【図９】
2014213857.tif 000011
【図１０】
2014213857.tif 000012
【図１１】
2014213857.tif 000013
【図１２】
2014213857.tif 000014
【図１３】
2014213857.tif 000015
【図１４】
2014213857.tif 000016